(57)【要約】【課題】光源パネルユニットの消費電力をきめ細かく調整でき、この結果、植物栽培ステージ上で所望の光量子密度を容易に得ることができる植物栽培装置の提供。【解決手段】ほぼ長方形の植物栽培ステージ１と、この植物栽培ステージ１に対峙して配置され、植物栽培ステージを照射する複数本の蛍光ランプ９ａを備える光源パネルユニット９とを備え、この光源パネルユニット９の前記複数本の蛍光ランプ９ａは、前記ほぼ長方形の植物栽培ステージ１の長辺に対してほぼ直交するように配置装着されている。【選択図】  図１
2005040013.tif 000002
【特許請求の範囲】
【請求項１】
ほぼ長方形の植物栽培ステージと、この植物栽培ステージに対向して配置され、植物栽培ステージを照射する複数本の蛍光ランプを備える光源パネルユニットとを備え、この光源パネルユニットの前記複数本の蛍光ランプは、前記ほぼ長方形の植物栽培ステージの長辺に対してほぼ直交するように配置されていることを特徴とする植物栽培装置。
【請求項２】
光源パネルの蛍光ランプが冷陰極蛍光ランプであることを特徴とする請求項１記載の植物栽培装置。
【請求項３】
前記光源パネルの蛍光ランプは、外径が６ｍｍ以下であることを特徴とする請求項２記載の植物栽培装置。
【請求項４】
前記光源パネルの蛍光ランプは、放射する光を前記植物栽培ステージ側に反射させるリフレクターを具備していることを特徴とする請求項２記載の植物栽培装置。
【請求項５】
前記リフレクターは、放物面状、半円面状あるいは台形面状の反射面を有し、その開口部の開口幅は１０ｃｍ以下であることを特徴とする請求項４記載の植物栽培装置。
【請求項６】
ほぼ長方形の植物栽培ステージと、この植物栽培ステージに対向して配置され、植物栽培ステージを照射する複数本の蛍光ランプを備える光源パネルユニットと、この光源パネルユニットに駆動電力を供給する駆動電源装置とを備え、前記光源パネルユニットの前記複数本の蛍光ランプは、前記ほぼ長方形の植物栽培ステージの長辺に対してほぼ直交するように配置されていることを特徴とする植物栽培装置用光源ユニット装置。
【請求項７】
前記光源パネルユニットの蛍光ランプが冷陰極蛍光ランプであることを特徴とする請求項６記載の植物栽培装置用光源ユニット装置。
【請求項８】
前記光源パネルの蛍光ランプは、外径が６ｍｍ以下であることを特徴とする請求項７記載の植物栽培装置用光源ユニット装置。
【請求項９】
前記光源パネルの蛍光ランプは、放射する光を前記植物栽培ステージ側に反射させるリフレクターを具備していることを特徴とする請求項７記載の植物栽培装置用光源ユニット装置。
【請求項１０】
前記リフレクターは、放物面状、半円面状あるいは台形面状の反射面を有し、その開口部の開口幅は１０ｃｍ以下であることを特徴とする請求項９記載の植物栽培装置用光源ユニット装置。
【発明の詳細な説明】
【０００１】
【発明の属する技術分野】
本発明は、植物栽培装置およびこれに使用される光源ユニット装置に関し、特に蛍光ランプのような人工光源を使用した植物栽培装置および光源ユニット装置に関する。
【０００２】
【従来の技術】
野菜類の生産、育苗、植物の観賞あるいは接ぎ木等において、省エネルギー化、無農薬化、生産性の向上、省スペース化等を目的として、人工光源を利用する植物栽培手段が広く採用されつつある。即ち、太陽光を利用する植物の自然栽培では、例えば日照量（たとえば日照不足）等の変動要因が大きく左右し、生育させた植物の品質にバラツキを生じ、あるいは生産量等に影響する。
【０００３】
これに対して、人工光源を利用する植物栽培では、日照量等を任意に制御できるので、所要の生育環境を人工的に造ることができる。つまり、日照量乃至日照時間などの自然変動要因を大幅に低減・抑制できるので、一定の品質を確保することが可能になるだけでなく、寒冷地や不毛地域での植物栽培も行える。また、室内的な生育手法であるため、無農薬で、安全性の高い野菜類の生産・供給、観賞手段等の提供を行える。
【０００４】
図１３は、従来の植物栽培装置の基本的な構成を示す断面図である。図１３において、ほぼ長方形の植物栽培ステージ１上には、それぞれ内部に培地２を含む複数個の培養容器３が載置されている。植物栽培ステージ１には、これ対向して配置され植物栽培ステージ１に光を照射する光源パネル（光源ユニット）４が天井棚５の下面に設けられている。ここで、植物栽培ステージ１は、一般的に、培養容器３の載置・回収の操作性等を考慮して奥行き４０〜５０ｃｍ程度に、また、設置スペースや操作性・強度等を考慮して間口（幅）を１２０ｃｍ程度に設定されている。一方、光源パネル４は、前記植物栽培ステージ１の形状にほぼ対応した天井棚５の下面にその長辺方向と平行に装着された蛍光ランプ６により構成されている。
【０００５】
図１４は従来の植物栽培装置のより具体的な構成を示す斜視図である。同図に示す如く、支柱７により水平に支持された天井棚５及び多段的に配置支持された植物栽培ステージ１の下面に、所要の光放射量、例えば植物栽培ステージ１面での最高光合成有効光量子束密度分布４０μｍｏｌ／ｍｓを得るために、長さ１２０ｍｍ、外径３２ｍｍの蛍光ランプ（４０Ｗ）６を２２．５ｃｍ間隔で２本装着して光源パネル４を形成している。ここで、植物栽培ステージ１面とこの面を照射する蛍光ランプ６との距離は、放射光の均一性確保や熱の影響低減のために、少なくとも３０ｃｍ程度に設定される。なお、図示を省略してあるが、各光源パネル４を駆動するためのインバータ等の電源装置が、例えば天井棚（上棚板）５等に付設されている。
【０００６】
さらに、蛍光ランプ６には放射光を効率よく利用するために、リフレクターが付設されている。また、植物栽培ステージ１面上に載置される植物培養容器３内の培地２は、栄養成分が含まれた寒天培地やロックウール支持体等で作られ、生育させる植物の根元部を挿入できる構成となっている。また、培養以外の植物育成では植物の支持に、所要の液肥や新鮮な空気を供給するため、例えば合成樹脂製の液肥収容槽を下側に設置した構成を採ることもある。
【０００７】
【発明が解決しようとする課題】
ところで、上記植物栽培装置によって、たとえば野菜類の生育乃至生産で採算を採るためには、高い栽培密度の確保、及び人工光源の利用効率のアップなどが不可欠である。つまり、野菜類等の人工的な生育・生産の採算化に当たっては、先ず、植物栽培ステージの多段的な設置による高栽培密度化乃至省スペース化が前提となり、これによって生産性の向上も図られる。
【０００８】
一方、植物の育成期間の短縮、あるいは照射光量の有効利用による採算化では、照射間隔（植物栽培ステージと光源パネルとの間隔）を比較的小さく設定し、かつ均一な光照射を行えること、人工光源の発熱量が比較的少ないこと、より有効な人工光源の発光利用や省電力化等が望まれる。
【０００９】
しかしながら、人工光源として、入力電力４０Ｗ、長さ１２０ｃｍの蛍光ランプを使用する場合は、所要光量に応じて蛍光ランプの本数を選択する必要がある。即ち、蛍光ランプ１本（４０Ｗ）で光量が不足の時は２本（８０Ｗ）、２本（８０Ｗ）で光量が不足の時は３本（１２０Ｗ）のように設定する。この蛍光ランプの設定・装着の本数選択は、小刻みな光量の調整が困難であり、必要以上の電力で蛍光ランプを点灯する恐れを招来し、省電力という点で問題を提起する。
【００１０】
また、光源（蛍光ランプ）の入力を大きくし、各植物栽培ステージに対する全体としての放射光量を確保した場合は、構造的な簡略化を図れるが、植物栽培ステージ面における光量子束密度分布のバラツキを発生する。つまり、光源の配置が局部的となり易いので、植物栽培ステージ面の温度、及び照射光量の均一性を確保することが困難で、植物栽培の品質低下あるいは生産性の低下を招来する。
【００１１】
上記のように、従来の人工的な植物栽培装置の場合は、電力の浪費を招来し易く、省エネルギー面でコスト問題がある。さらに、蛍光ランプが放射する熱線の影響低減、あるいは均一な光照射面積確保のために、植物栽培ステージに対する間隔を比較的大きく設定することになり、植物栽培装置の高栽培密度化ないし省スペース化が阻害される。なお、光源が熱陰極蛍光ランプの場合に対し、冷陰極蛍光ランプの場合は、管径が小さく、ランプ寿命も長いこと、冷陰極であるため、点灯回路が簡略化する等の利点がある。
【００１２】
本発明は、このような事情に対処してなされたもので、光源パネルユニットの消費電力をきめ細かく調整でき、この結果、植物栽培ステージ上で所望の光量子密度を容易に得ることができる植物栽培装置の提供を目的とする。
【００１３】
【課題を解決するための手段】
本発明の植物栽培装置は、ほぼ長方形の植物栽培ステージと、この植物栽培ステージに対向して配置され、植物栽培ステージを照射する複数本の蛍光ランプを備える光源パネルユニットとを備え、この光源パネルユニットの前記複数本の蛍光ランプは、前記ほぼ長方形の植物栽培ステージの長辺に対してほぼ直交するように配置されていることを特徴とする。
【００１４】
また、本発明の植物栽培装置においては、光源パネルユニットの蛍光ランプが冷陰極蛍光ランプであることを特徴とする。
【００１５】
さらに、本発明の植物栽培装置においては、前記光源パネルユニットの蛍光ランプは、外径が６ｍｍ以下であることを特徴とする。
【００１６】
さらに、本発明の植物栽培装置においては、前記光源パネルユニットの蛍光ランプは、放射する光を前記植物栽培ステージ側に反射させるリフレクターを具備していることを特徴とする。
【００１７】
さらに、本発明の植物栽培装置においては、前記リフレクターは、放物面状、半円面状あるいは台形面状の反射面を有し、その開口部の開口幅は１０ｃｍ以下であることを特徴とする。
【００１８】
本発明の植物栽培用光源ユニット装置は、ほぼ長方形の植物栽培ステージと、この植物栽培ステージに対向して配置され、植物栽培ステージを照射する複数本の蛍光ランプを備える光源パネルユニットと、この光源パネルユニットに駆動電力を供給する駆動電源装置とを備え、前記光源パネルユニットの前記複数本の蛍光ランプは、前記ほぼ長方形の植物栽培ステージの長辺に対してほぼ直交するように配置されていることを特徴とする。
【００１９】
また、本発明の植物栽培用光源ユニット装置においては、前記光源パネルユニットの蛍光ランプが冷陰極蛍光ランプであることを特徴とする。
【００２０】
さらに、本発明の植物栽培用光源ユニット装置においては、前記光源パネルの蛍光ランプは、外径が６ｍｍ以下であることを特徴とする。
【００２１】
さらに、本発明の植物栽培用光源ユニット装置においては、前記光源パネルの蛍光ランプは、放射する光を前記植物栽培ステージ側に反射させるリフレクターを具備していることを特徴とする。
【００２２】
さらに、本発明の植物栽培用光源ユニット装置においては、前記リフレクターは、放物面状、半円面状あるいは台形面状の反射面を有し、その開口部の開口幅は１０ｃｍ以下であることを特徴とする。
【００２３】
【発明の実施の形態】
以下、本発明の実施例を図面により詳細に説明する。
【００２４】
図１は、本発明の実施例に係る植物栽培装置の概略構成を示す斜視図である。即ち、この植物栽培装置は、ほぼ長方形の４段の植物栽培ステージ１及び上棚板５が４本の支柱７により支持されている。これらの４段の植物栽培ステージ１及び上棚板５により、間口１２０ｃｍ、奥行き４５ｃｍ、高さ４０ｃｍの空間部８が４個形成されている。上棚板５及び植物栽培ステージ１の下面には、それぞれ光源パネルユニット９が装着されている。なお、光源パネルユニット９には、図示は省略されているが、各光源パネルユニット９に給電するインバータを含む電源装置が上棚板５の上面に配置されている。
【００２５】
ここで、光源パネルユニット９は光源として複数の蛍光ランプ９ａを備えている。これらの蛍光ランプ９ａは、例えば、入力１５Ｗ、長さ４５ｃｍの熱陰極蛍光ランプであり、各光源パネルユニット９には２４ｃｍ間隔で５本の熱陰極蛍光ランプが備えられている。これらの熱陰極蛍光ランプは、ほぼ長方形の上棚板５及び４段の植物栽培ステージ１の長辺に対してほぼ直交する方向に、平行配置されている。
【００２６】
なお、上記の実施例の光源パネルユニット９において、熱陰極型の蛍光ランプ９ａの装着間隔を２４ｃｍから２０ｃｍに変更して装着本数を５本からで６本に増設し、光源パネルユニット９の全消費電力を９０Ｗとした場合、植物栽培ステージ１上の最大光量子束密度として４５μｍｏｌ／ｍｓが得られる。
【００２７】
また、上記光源パネルユニット９の光源を構成する蛍光ランプ９ａとして、熱陰極型の蛍光ランプの代わりに冷陰極型の蛍光ランプを用いることができる。この場合には、各蛍光ランプにリフレクターを備えることにより、ランプからの光を効率よく植物栽培ステージ１上に照射できるように構成されている。
【００２８】
図２は冷陰極型の蛍光ランプを用いた光源パネルユニット９の要部構成を示す図で、同図（ａ）は側面図、同図（ｂ）は図２（ａ）の直線Ａ−Ａ´に沿った断面図である。この光源パネルユニット９は、一対の樹脂製ホルダー９ｅ、これらの樹脂製ホルダー９ｅによって両端側が支持された放物反射面型リフレクター９ｄ、及び前記リフレクター９ｄの焦点に中心軸を位置合せ装着配置した蛍光ランプ９ａで構成されている。
【００２９】
図３は光源パネルユニット９の要部の構成を示す図で、同図（ａ）は光源パネルユニット９の要部斜視図、同図（ｂ）、（ｃ）は要部断面図である。同図（ａ）に示すように、上記光源パネル９には、上棚板５あるいは植物栽培ステージ１とほぼ同じ大きさのアルミ製フレーム９ｂが設けられている。これらのアルミ製フレーム９ｂはその断面が同図（ｂ）に示すようにＬ字型に折り曲げられており、対向する長辺の一方には、所定の間隔をおいて嵌め込み溝９ｃが形成されている。この嵌め込み溝９ｃには、蛍光ランプ９ａの一端に設けられた樹脂製ホルダー９ｅが嵌めこまれて固定されている。蛍光ランプ９ａの他端に設けられた樹脂製ホルダー９ｅは、同図（ｂ）に示されるように、アルミ製フレーム９ｂの対向する長辺の他方にネジ９ｆにより固定されている。
【００３０】
なお、図３（ｃ  ）は、アルミ製フレーム９ｂの対向する長辺のいずれの辺においても、同図（ｂ）に示したものと同様な嵌め込み溝９ｃが形成されており、これらの嵌め込み溝９ｃに蛍光ランプ９ａ両端の樹脂製ホルダー９ｅが嵌めこまれて固定されている。
【００３１】
図４は、上記本発明の実施例係る植物栽培用装置の植物栽培ステージ１上に、複数個の培養容器３を配置するとともに、光源パネルユニット９の配置状態を示す要部斜視図である。同図においては、図１乃至図３に示した各部の構成に対応する構成部分には同一の符号を付し、詳細な説明は省略する。
【００３２】
このように構成された本発明の実施例係る植物栽培用装置によれば、上記光源パネルユニット９の光源を構成する蛍光ランプ９ａとして、前述のように、熱陰極型の蛍光ランプを用い、２４ｃｍ間隔で５本の熱陰極蛍光ランプにより、全消費電力が７５Ｗのとき、植物栽培ステージ１上の最大光量子密度として３７μｍｏｌ／ｍｓが得られる。
【００３３】
また、上記の実施例の光源パネルユニット９において、熱陰極型の蛍光ランプ９ａの装着間隔を２４ｃｍから２０ｃｍに変更して装着本数を５本からで６本に増設し、光源パネルユニット９の全消費電力を９０Ｗとした場合、植物栽培ステージ１上の最大光量子束密度として４５μｍｏｌ／ｍｓが得られる。
【００３４】
また、上記光源パネルユニット９の光源を構成する蛍光ランプ９ａとして、熱陰極型の蛍光ランプの代わりに冷陰極型の蛍光ランプを用いる場合には、例えば、入力６．５Ｗ、長さ４５ｃｍ、外径３ｍｍの蛍光ランプ８本を間隔を１５ｃｍで装着すると、全消費電力は１ユニット当たり５２Ｗで植物栽培ステージ１上の最大光量子束密度として４０μｍｏｌ／ｍｓが得られる。
【００３５】
なお、冷陰極型の蛍光ランプ９ａの場合は、熱陰極蛍光ランプに比べて１本当たりに投入できる電力が小さく、１本当たりの放射光量も低減するため、熱陰極蛍光ランプを用いた場合と同一の光量を得るには本数を増加する必要がある。しかし、冷陰極型の蛍光ランプ９ａの投入電力が小さいことは、発熱量も小さくなり、栽培植物に与える熱の影響が小さくなるため、光源の近接照射が可能となる。つまり、光源パネルユニット９による最大光量子束密度分布は、光源である蛍光ランプ９ａとの距離の２乗に反比例するため、投入電力を低く抑えることができる。
【００３６】
さらに、冷陰極型の蛍光ランプ９ａを用いる場合、ランプの管径が従来の熱陰極型の蛍光ランプの外径３２ｍｍに対して３ｍｍにできるため、光源部に占める高さも１０ｃｍから５ｃｍにまで縮小できる。この結果、複数の植物栽培ステージ１間の間隔が小さくでき、その段数を図５に示すように、７段構成とすることも可能である。なお、同図においては、図１乃至図６に示された構成部分に対応する構成部分には同一の符号を付し、詳細な説明は省略する。
【００３７】
以上説明した本発明の実施例によれば、光源パネルユニット９を構成する光源である複数本の蛍光ランプは、ほぼ長方形の天井棚５あるいは植物栽培ステージ１の長辺に対してほぼ直交するように並行に配列されているため、光源パネルユニット９に投入される消費電力を小刻みに調整することが可能であり、したがって、植物栽培ステージ１上に所望の光量子を容易に供給し得る植物栽培装置が得られる。すなわち、上記のように構成された本発明の光源パネルユニット９においては、光源となる複数本の蛍光ランプは、従来の光源パネルユニット９におけるように、天井棚５あるいは植物栽培ステージ１の長辺に対してほぼ並行に配列した場合に比較して、それぞれの蛍光ランプの長さが短く、その消費電力も小さい。このため、蛍光ランプの装着間隔及び本数を調整することにより、光源パネルユニット９の消費電力をきめ細かく調整でき、この結果、植物栽培ステージ１上で所望の光量子束密度を容易に得ることができる。
【００３８】
図６は、光源パネルユニット９における使用蛍光ランプの本数と消費電力の関係を示すグラフである。同図において、横軸は蛍光ランプの本数、縦軸は消費電力（Ｗ）を示している。同図において、直線ＡおよびＢは、蛍光ランプとしてそれぞれ、冷陰極型の蛍光ランプおよび熱陰極型の蛍光ランプを用いた本発明の実施例における使用蛍光ランプの本数と消費電力の関係を示している。また、直線Ｃは熱陰極型の蛍光ランプを用いた従来の光源パネルユニットにおける使用蛍光ランプの本数と消費電力の関係を対比して示すグラフである。同図から、本発明の光源パネルユニット９においては、従来の光源パネルに比較して、蛍光ランプの装着間隔及び本数を調整することにより、光源パネルユニット９の消費電力をきめ細かく調整できることが明らかである。
【００３９】
図７は、図３に示した光源パネルユニット９の他の実施例を示す要部斜視図である。図３に示した冷陰極型の蛍光ランプ９ａのアルミ製フレーム９ｂへの装着部の構成においては、冷陰極型の蛍光ランプ９ａのアルミ製フレーム９ｂの長手方向の位置は固定であるが、この実施例では、その装着位置が変更できるように構成されている。すなわち、同図（ａ）に示すように、アルミ製フレーム９ｂの対向する一方の長辺部におけるＬ字型部には複数対のガイドブロック９ｈが所定の間隔でフレームに沿って移動可能に取り付けられている。各対のガイドブロック９ｈは、所定の間隙で隣接配置され、これらの間隙に蛍光ランプ９ａのホルダー９ｅ部が嵌め込まれ、これにより、蛍光ランプ９ａがアルミ製フレーム９ｂに装着される。同図（ｂ）は上記の装着状態を示す蛍光ランプ９ａの軸方向に沿った断面図である。同図に示されるように、蛍光ランプ９ａの他端に設けられたホルダー９ｅ部は、ネジ９ｇによりアルミ製フレーム９ｂに固定されている。
【００４０】
なお、同図（ｃ）はアルミ製フレーム９ｂの対向する他方の長辺部にも同図（ｂ）と同様な複数対のガイドブロック９ｈが移動可能に設けられた実施例を示す図で、蛍光ランプ９ａの軸方向に沿った断面図である。
【００４１】
図８は、植物栽培装置が大型化した場合、即ち、植物栽培ステージ１及び光源パネルユニット９の大型化に伴って、蛍光ランプ９ａの長さが大きくなった場合の、光源パネルユニット９の実施例を示す斜視図である。同図に示すように、長方形のアルミ製フレーム９ｂの対向する短辺のほぼ中央部を相互に連結するランプユニット連結板９ｉが設けられている。このランプユニット連結板９ｉに蛍光ランプのホルダー９ｅをクリップ９ｊで固定する。図９は図８におけるクリップ９ｊでの固定に代えて、円形ノブ付きボルト９ｋでホルダー９ｅをランプユニット連結板９ｉに固定する他の実施例を示す要部斜視図である。
【００４２】
図１０は本発明の植物栽培装置に用いられる光源パネルユニット９の他の実施例を示す平面図である。この実施例においては、蛍光ランプ９ａのアルミ製フレーム９ｂの対向する長辺への装着は、アルミ製フレーム９ｂの対向する長辺の両方にネジ９ｆにより固定されている。この固定手段は前述した図３  （ｂ）に示される手段と同様である。なお、同図においては、図１乃至図３に示した各部の構成に対応する構成部分には同一の符号を付し、詳細な説明は省略する。
【００４３】
図１１は本発明の冷陰極型の蛍光ランプを用いた光源パネルユニット９の他の実施例を示す要部構成図で、同図（ａ）は側面図、同図（ｂ）は図２（ａ）の直線Ａ−Ａ´に沿った断面図である。この光源パネルユニット９は、一対の樹脂製ホルダー９ｅ、これらの樹脂製ホルダー９ｅによって両端側が支持された金属製の放物反射面型リフレクター９ｄ´、及びこのリフレクター９ｄ´の焦点に中心軸を位置合せ装着配置した蛍光ランプ９ａで構成されている。ここで、一対の樹脂製ホルダー９ｅはそれぞれ金属製のネジ９ｆ´によりアルミ製フレーム９ｂに固定されているが、このとき金属製のリフレクター９ｄ´も金属製のネジ９ｆ´により樹脂製ホルダー９ｅに固定される。このような構成により、金属製のリフレクター９ｄ´は、金属製のネジ９ｆ´を介してアルミ製フレーム９ｂに電気的に導通する。蛍光ランプ９ａは、図示しないが、インバータからの高電圧の高周波電圧が供給されて点燈する。このため、蛍光ランプ９ａの動作中、金属製のリフレクター９ｄ´に電荷が蓄えられる。この蓄えられた電荷は高圧であり人が感電する恐れもあるため、グランドに逃がす必要がある。本発明の実施例では、アルミ製フレーム９ｂをグランドに接続することにより、金属製のリフレクター９ｄ´に蓄えられた電荷は、金属製のネジ９ｆ´およびアルミ製フレーム９ｂを介してグランドに流れるため、感電を防止することができる。
【００４４】
図１２は本発明の植物栽培装置の他の実施例を示す要部斜視図である。この実施例においては、下面に光源パネルユニット９を装着した植物栽培ステージ１は、植物栽培装置の側面の支柱７間に固定されたスライド機構１０に挿抜自在に設けられる。図中図１または図２に示された構成部分と対応する構成部分には同一の符号を付して示し、詳細な説明は省略する。
【００４５】
図１３は図２に示した光源パネルユニット９の蛍光ランプ９ａに使用されるリフレクター９ｅの他の実施例を示す横断面図である。この実施例では、リフレクター９ｅはその一部にスリット９ｌが形成され他反射傘型リフレクターである。スリット９ｌは植物栽培装置の内部空間での空気流路を形成し、培養植物に対する熱的な影響を低減しあるいは回避できる。
【００４６】
さらに、上記構成においては、図示を省略してあるが各光源パネル９のインバータ装置は、一体的に上棚板５の上面に配置してある。また、植物栽培装置の両側面および背面の壁体は、必要に応じて透明性アクリル樹脂板等により形成し、前面は作業のために開放してもよい。また、植物栽培装置の前面も同様な透明性アクリル樹脂板等により開閉自在な扉により構成することもできる。
【００４７】
本発明は、上記実施例に限定されるものでなく、発明の趣旨を逸脱しない範囲で種々の変形を採ることができる。たとえば壁体を成す透光性材料の材質、光源の光波長選択、植物栽培ステージの多段型化の段数、液肥収容槽の省略・併用等、使用目的ないし使用態様に応じて、適宜選択設定することができる。つまり、光合成の促進と自然光による生育と同様な環境の形成も可能であり、草丈、葉の形状・寸法など適切な植物形態の形成もできる。
【００４８】
【発明の効果】
本発明の植物栽培装置および光源パネルユニットによれば、光源パネルユニットの消費電力をきめ細かく調整でき、この結果、植物栽培ステージ上で所望の光量子密度を容易に得ることができる。
【図面の簡単な説明】
【図１】本発明の実施例に係る植物栽培装置の概略構成を示す斜視図。
【図２】図１の実施例に使用される光源パネルの要部構成を示す平面図。
【図３】図１の実施例に使用される光源パネルユニット９の要部の構成を示す図で、（ａ）は要部斜視図、（ｂ）、（ｃ）はそれぞれ要部断面図。
【図４】図１の実施例に係る植物栽培装置の使用態様を示す斜視図。
【図５】本発明の植物栽培装置の他の実施例を示す斜視図。
【図６】本発明の植物栽培装置における光源パネルユニットに使用される蛍光ランプの本数と消費電力との関係を従来例と対比して示すグラフ。
【図７】本発明の植物栽培装置における光源パネルユニットの他の実施例を示す図で、（ａ）は要部斜視図、（ｂ）、（ｃ）は要部断面図。
【図８】本発明の植物栽培装置における光源パネルユニットの他の実施例を示す斜視図。
【図９】図８に示す光源パネルユニットの要部構成を示す斜視図。
【図１０】本発明の植物栽培装置における光源パネルユニットの他の実施例を示す平面図。
【図１１】本発明の冷陰極型の蛍光ランプを用いた光源パネルユニット９の他の実施例を示す要部構成図で、同図（ａ）は側面図、同図（ｂ）は図２（ａ）の直線Ａ−Ａ´に沿った断面図である。
【図１２】本発明の植物栽培装置における光源パネルユニットの装着機構の他の実施例を示す要部斜視図。
【図１３】本発明の植物栽培装置における光源パネルの他の実施例を示す要部断面図。
【図１４】従来の植物栽培装置の概略構成を示す断面図。
【図１５】従来の植物栽培装置の構成を示す斜視図。
【符号の説明】
１……植物栽培ステージ
２……培地
３……培養容器
４……光源パネルユニット
５……天井板（上棚板）
６ａ……蛍光ランプ（光源）
７……支柱
８……空間部
９……光源パネルユニット
９ｂ……フレーム
９ｃ……嵌め込み固定部
９ｄ……リフレクター
９ｅ……ホルダー
９ｆ……ネジ
９ｇ……ネジ
９ｈ……ガイドブロック
【図１】
2005040013.tif 000003
【図２】
2005040013.tif 000004
【図３】
2005040013.tif 000005
【図４】
2005040013.tif 000006
【図５】
2005040013.tif 000007
【図６】
2005040013.tif 000008
【図７】
2005040013.tif 000009
【図８】
2005040013.tif 000010
【図９】
2005040013.tif 000011
【図１０】
2005040013.tif 000012
【図１１】
2005040013.tif 000013
【図１２】
2005040013.tif 000014
【図１３】
2005040013.tif 000015
【図１４】
2005040013.tif 000016
【図１５】
2005040013.tif 000017